(57)【要約】【課題】ユーザ端末に動画像データと、ユーザに適した詳細動画像データを提供する。【解決手段】動画提供装置は、第１動画像データ記憶部に記憶され、複数フレームで構成され、所定時間内で完結する第１動画像データを、ユーザ端末に提供する第１提供部と、第１動画像データが再生された後に、ユーザ端末で再生される第１動画像データに関連付けられ、第１動画像データが含む内容を詳細に表す第２動画像データの再生リクエストを受け付ける受付部と、受付部が受け付けた再生リクエストと、家族データ記憶部に記憶され、ユーザ端末を介して取得された、ユーザ端末保有者の家族に関する家族データとに基づいて、第２動画像データ記憶部に記憶される第２動画像データを抽出する抽出部と、抽出部が抽出した第２動画像データをユーザ端末に提供する第２提供部とを備える。【選択図】図２
2020009206.tif 000002
【特許請求の範囲】
【請求項１】
第１動画像データ記憶部に記憶され、複数フレームで構成され、所定時間内で完結する第１動画像データを、ユーザ端末に提供する第１提供部と、
前記第１動画像データが再生された後に、前記ユーザ端末で再生される第１動画像データに関連付けられ、当該第１動画像データが含む内容を詳細に表す第２動画像データの再生リクエストを受け付ける受付部と、
前記受付部が受け付けた再生リクエストと、家族データ記憶部に記憶され、前記ユーザ端末を介して取得された、前記ユーザ端末の保有者の家族に関する家族データとに基づいて、第２動画像データ記憶部に記憶される第２動画像データを抽出する抽出部と、
前記抽出部が抽出した第２動画像データを前記ユーザ端末に提供する第２提供部と、
を備える動画提供装置。
【請求項２】
前記第２動画像データは、この第２動画像データに適した属性を関連づけ、
前記家族データは、前記ユーザ端末の保有者の家族の属性を含み、
前記第２提供部は、前記保有者の家族の属性に対応する第２画像データを前記ユーザ端末に提供する
ことを特徴とする請求項１に記載の動画提供装置。
【請求項３】
前記第１動画像データに対応する第２動画像データの選択肢を、前記ユーザ端末に提供する選択肢提供部をさらに備え、
前記受付部は、前記ユーザ端末から選択肢のいずれが選択されたかの選択結果データを受け付け、
前記第２提供部は、前記受付部が受け付けた選択結果データで特定される第２画像データを提供する
ことを特徴とする請求項１又は２に記載の動画提供装置。
【請求項４】
前記第２動画像データは、前記第１動画像データに表わされるいずれかのアイテムと関連付けられ、
前記受付部は、前記ユーザ端末において動画像のフレームを表示中に、表示画面上におけるアイテムへの接触による前記保有者の選択を識別する接触データを受け付けることが可能であって、
前記第２提供部は、前記接触データで選択されたアイテムと関連付けられる第２画像データを提供する
ことを特徴とする請求項１乃至３のいずれか１に記載の動画提供装置。
【請求項５】
前記第２動画像データは、前記第１動画像データに表されるアイテムの詳細な使用方法の動画像データであって、
前記受付部が受け付けるリクエストは、アイテムの詳細な使用方法を問い合わせるものである
ことを特徴とする請求項１乃至４のいずれか１に記載の動画提供装置。
【請求項６】
前記第２動画像データは、動画像データに表されるアイテムの詳細な作成方法の動画像データであって、
前記受付部が受け付けるリクエストは、アイテムの詳細な作成方法を問い合わせるものである
ことを特徴とする請求項１乃至５のいずれか１に記載の動画提供装置。
【請求項７】
前記受付部は、前記第１動画像データまたは前記第２動画像データに表されるアイテムの購入リクエストを受け付けることを特徴とする請求項１乃至６のいずれか１に記載の動画提供装置。
【請求項８】
動画提供装置から複数フレームで構成される第１動画像データを取得する第１取得部と、
前記動画提供装置からのリクエストに応じて、自装置の保有者の家族に関する家族データを提供する提供部と、
前記第１動画像データを表示する第１表示処理部と、
自装置の保有者によって、当該第１動画像データが含む内容を詳細に表す第２動画像データの再生リクエストを受け付け、当該再生リクエストを前記動画提供装置に送信する送信部と、
前記再生リクエストに対して、前記動画提供装置により、前記再生リクエスト及び自装置の保有者の家族の家族データに基づいて選択され、かつ、送信された第２動画像データを受信する受信部と、
受信した第２動画像データを表示する第２表示処理部と、
を備えるユーザ端末。
【請求項９】
コンピュータが、
第１動画像データ記憶部に記憶され、複数フレームで構成され、所定時間内で完結する第１動画像データを、ユーザ端末に提供し、
前記第１動画像データが再生された後に、前記ユーザ端末で再生される第１動画像データに関連付けられ、当該第１動画像データが含む内容を詳細に表す第２動画像データの再生リクエストを受け付け、
受け付けた前記再生リクエストと、家族データ記憶部に記憶され、前記ユーザ端末を介して取得された、前記ユーザ端末の保有者の家族に関する家族データとに基づいて、第２動画像データ記憶部に記憶される第２動画像データを抽出し、
抽出した前記第２動画像データを前記ユーザ端末に提供する
動画提供方法。
【請求項１０】
コンピュータに、
第１動画像データ記憶部に記憶され、複数フレームで構成され、所定時間内で完結する第１動画像データを、ユーザ端末に提供する第１提供機能と、
前記第１動画像データが再生された後に、前記ユーザ端末で再生される第１動画像データに関連付けられ、当該第１動画像データが含む内容を詳細に表す第２動画像データの再生リクエストを受け付ける受付機能と、
受け付けた前記再生リクエストと、家族データ記憶部に記憶され、前記ユーザ端末を介して取得された、前記ユーザ端末の保有者の家族に関する家族データとに基づいて、第２動画像データ記憶部に記憶される第２動画像データを抽出する抽出機能と、
抽出した前記第２動画像データを前記ユーザ端末に提供する第２提供機能と、を実現する
動画提供プログラム。
【発明の詳細な説明】
【技術分野】
【０００１】
本発明は、ユーザ端末に動画像データを提供するとともに、動画像データに対応する詳細動画データを提供する動画提供装置、ユーザ端末、動画提供方法及び動画提供プログラムである。
【背景技術】
【０００２】
近年、情報処理装置及びネットワークの普及に伴い、様々な動画像データを、ユーザがユーザの端末で容易に視聴することができる。視聴対象の動画像データには、報道、商品等の広告、娯楽等の多様な分野の動画像データがある。
【０００３】
ところで、このように、提供される動画像を視聴中、その内容についてより具体的または詳細な動画像の視聴を希望することもある。また、ユーザは、自身に適した詳細な動画像の視聴を希望する場合でも、そのようなユーザに適した詳細動画像に容易にアクセスする手段はない。
【０００４】
例えば、特許文献１には、動画像に表れる商品を購入する技術が記載されている。特許文献２には、ネットワークを効率的に利用するため、要約コンテンツの内容に応じてユーザが詳細コンテンツを取得する技術が記載されている。
【先行技術文献】
【特許文献】
【０００５】
【特許文献１】特開２００１−２９７２３３号公報
【特許文献２】特開２００４−２３４６４６号公報
【発明の概要】
【発明が解決しようとする課題】
【０００６】
上述したように、動画像から詳細な情報を提供する手段はあるものの、ユーザが有益な詳細動画像に容易にアクセスするための技術はない。例えば、特許文献１では、単に、動画像に表れる商品を購入する技術が記載されており、これらはユーザが本当に必要な商品の情報であるか否かは不明である。また、ユーザが動画像に対応する詳細動画像を容易に取得することに関しては記載されていない。
【０００７】
また、特許文献２に記載の技術ではユーザが要約コンテンツに関連する詳細コンテンツを取得することは記載されるが、これらがユーザに有益であるかは不明である。
【０００８】
したがって、ユーザが動画像を鑑賞する際、ユーザに有益な詳細動画像を容易に取得することが望まれる。
【０００９】
上記課題に鑑み、本発明は、ユーザ端末に動画像データを提供するとともに、動画像データに対応するユーザに有益な詳細動画像を提供する動画提供装置、ユーザ端末、動画提供方法及び動画提供プログラムに関する。
【課題を解決するための手段】
【００１０】
上記課題を解決するために、本発明の一態様に係る動画提供装置は、第１動画像データ記憶部に記憶され、複数フレームで構成され、所定時間内で完結する第１動画像データを、ユーザ端末に提供する第１提供部と、第１動画像データが再生された後に、ユーザ端末で再生される第１動画像データに関連付けられ、第１動画像データが含む内容を詳細に表す第２動画像データの再生リクエストを受け付ける受付部と、受付部が受け付けた再生リクエストと、家族データ記憶部に記憶され、ユーザ端末を介して取得された、ユーザ端末保有者の家族に関する家族データとに基づいて、第２動画像データ記憶部に記憶される第２動画像データを抽出する抽出部と、抽出部が抽出した第２動画像データをユーザ端末に提供する第２提供部とを備える。
【発明の効果】
【００１１】
本発明の一態様に係る動画提供装置、ユーザ端末、動画提供方法及び動画提供プログラムは、ユーザに適した情報を提供することができる。
【図面の簡単な説明】
【００１２】
【図１】本発明の実施形態に係る動画提供システムの概略図である。
【図２】本発明の実施形態に係る動画提供システムのブロック図の一例である。
【図３】本発明の実施形態に係る動画提供システムで使用される家族データのデータ構成の一例である。
【図４】本発明の実施形態に係る動画提供システムにおける動画提供方法の一例を説明するシーケンス図である。
【図５】本発明の実施形態に係る動画提供システムで表示される表示画面の他の一例である。
【図６】本発明の実施形態に係る動画提供システムで表示される表示画面の他の一例である。
【図７】本発明の実施形態に係る動画提供システムで表示される表示画面の他の一例である。
【図８】本発明の実施形態に係る動画提供システムで表示される表示画面の他の一例である。
【図９】本発明の実施形態に係る動画提供システムの回路図の一例である。
【発明を実施するための形態】
【００１３】
以下に、図面を用いて本発明の実施形態に係る動画提供システム、動画提供装置、動画提供方法、動画提供プログラム及びユーザ端末について説明する。以下の説明において、同一の構成については、同一の符号を用いて説明を省略する。
〈動画提供システム〉
図１に示すように、本実施形態に係る動画提供システム１は、動画提供装置１００と、ユーザ端末２００とがネットワーク３００を介して接続される。この動画提供システム１では、ユーザ端末２００からのリクエストに応じて、動画提供装置１００がユーザ端末２００に第１動画像データを提供する。ここでは、１台のユーザ端末２００のみ示すが、動画提供システム１が有するユーザ端末２００の数は限定されない。ネットワーク３００は、有線であっても無線であってもよく、動画提供装置１００とユーザ端末２００間で通信が実現できるのであれば、どのような通信プロトコルを用いてもよい。
【００１４】
また、ユーザがユーザ端末２００で第１動画像データを視聴する際、ユーザは、視聴する動画像データに関連する詳細な第２動画像データをリクエストすることができる。動画提供装置１００は、ユーザ端末２００から送信されたリクエストに応じて第２動画像データを提供する。このとき、動画提供装置１００は、ユーザに適した詳細な動画像データを抽出して提供する。これにより、例えば、ユーザは適切な詳細な動画像データを視聴することができる。
〈動画提供装置〉
図２に示すように、動画提供装置１００は、記憶部１２０に記憶され、複数フレームで構成され、所定時間内で完結する前記第１動画像データを、ユーザ端末２００に提供する第１提供部１１１と、第１動画像データが再生された後に、ユーザ端末２００で再生される第１動画像データに関連付けられ、当該第１動画像データが含む内容を詳細に表す第２動画像データの再生リクエストを受け付ける受付部１１２と、受付部１１２が受け付けた再生リクエストと、記憶部１２０に記憶され、ユーザ端末２００を介して取得された、ユーザ端末２００の保有者であるユーザの家族に関する家族データ１２３とに基づいて、記憶部１２０に記憶される第２動画像データを抽出する抽出部１１３と、抽出部１１３が抽出した第２動画像データをユーザ端末２００に提供する第２提供部１１４とを備える。また、動画提供装置１００は、選択肢提供部１１５を備えてもよい。
【００１５】
図２に示すように、動画提供装置１００は、記憶部１２０で、第１動画像データ１２１、第２動画像データ１２２、家族データ１２３及び動画提供プログラムＰ１を記憶する。
【００１６】
動画提供装置１００は、制御部１１０、記憶部１２０及び通信部１３０を有するサーバ装置等の情報処理装置である。動画提供装置１００は、記憶部１２０に記憶される動画提供プログラムＰ１の実行により、第１提供機能、受付機能、抽出機能、第２提供機能及び選択肢提供機能を実現し、制御部１１０で各処理を実行する。
【００１７】
具体的には、制御部１１０は、種々の演算を実行するＣＰＵ（Central Processing Unit）である。また、記憶部１２０は、ＲＯＭ（Read Only Memory）やＲＡＭ（Random Access Memory）等のメモリである。なお、動画提供装置１００は、複数の情報処理装置で形成されていてもよい。例えば、各データ１２１〜１２３が一つの記憶部１２０に記憶される必要はなく、異なる複数の記憶部に記憶されていてもよい。
【００１８】
第１動画像データ１２１は、複数フレームで構成され、ユーザが視聴する動画像のデータである。この第１動画像データ１２１は、所定時間内で完結するように形成される。この第１動画像データ１２１は、各フレームに合わせた音声データも含むことができる。この第１動画像データ１２１は、エンタテイメントとしての動画像データや商品等の宣伝用のコマーシャル動画像データに限定されない。例えば、生活に必要な情報等の紹介する動画像のデータであってもよい。
【００１９】
以下では、第１動画像データ１２１は、育児で役に立つ情報を紹介するものであることを例にして説明する。育児で役に立つ動画像データとしては、例えば、離乳食の作り方を紹介する動画像データ、おもちゃの作り方を紹介する動画像データ、ベビー用品の正しい使い方を紹介する動画像データ、ベビー用品・育児用品・玩具等自体を紹介する動画像データ等が挙げられる。なお、育児以外にも、例えば、介護や妊娠期、女性のライフスタイルに関する情報を紹介するものであってもよい。
【００２０】
第２動画像データ１２２は、第１動画像データ１２１が含む内容を詳細に表す動画像データである。例えば、第２動画像データ１２２は、第１動画像データに表わされるいずれかのアイテムと関連付けられ、このアイテムを詳細に表すものであってもよい。具体的には、第１動画像データ１２１がおもちゃの作り方を簡単に表すものであるとき、第２動画像データ１２２は、おもちゃの作り方を詳細に表すものであってもよい。また、仮に、第１動画像データ１２１がベビー用品の使い方を簡単に表すものであるとき、第２動画像データ１２２は、ベビー用品の使い方を詳細に表すものであってもよい。さらに、第１動画像データ１２１が離乳食の作り方を簡単に表すものであるとき、第２動画像データ１２２は、離乳食の作り方を詳細に表すものであってもよい。
【００２１】
第２動画像データ１２２は、この第２動画像データ１２２に適した属性を関連づけることができる。例えば、第２動画像データ１２２に性別や月齢等の属性を関連づけることができる。同一のシリーズのおもちゃであっても、性別によっておもちゃに付されるキャラクターやおもちゃの色が異なるとき、第１動画像データ１２１に対して、男の子と女の子によって異なる第２動画像データ１２２があってもよい。また、同一のベビー用品であっても、成長によって使い方が異なるとき、第１動画像データ１２１に対して、成長に応じた複数の第２動画像データ１２２があってもよい。
【００２２】
家族データ１２３は、ユーザ端末２００の保有者の家族に関するデータである。この家族データ１２３は、ユーザ端末２００を介して取得される。ここでは、ユーザ端末２００の「保有者」を「ユーザ」として説明する。図３に示す家族データ１２３は、ユーザの識別情報である「ユーザID」に、ユーザの家族の情報を関連づけるデータである。ユーザの家族の情報には、ユーザの家族の識別情報である「氏名」と、ユーザとの「続柄」と、ユーザの家族の属性である「性別」、「生年月日」及び「年齢」を含むことができる。属性としては、この他、発達状態、健康状態、身体状態等を含んでもよい。これにより、動画提供装置１００は、家族の性別や年齢等に応じて、必要な第２動画像データ１２２を提供することができる。
【００２３】
家族データ１２３のうち、年齢は生年月日により求めることができる。ここで、図３の「ａｃ」に示すように、年齢が低い場合、年齢だけではなく、月齢も年齢として管理されることが望ましい。例えば、年齢が低い場合とは、１歳以下、２歳以下または３歳以下のことである。
【００２４】
また、ユーザ端末２００から全ての項目のデータが取得されていない場合、家族データ１２３は、全ての項目にデータがなくてもよい。例えば、図３に示す例では、「ｕｄ」は、名前と続柄と性別のみデータが存在するが、生年月日と年齢に関するデータは存在しない。
【００２５】
ここでいう「家族」は、ユーザが同居する家族に限らない。例えば、図３に示すユーザＩＤ「Ｕ０３」のように、祖父母が、遠方に住む孫を家族として登録してもよい。
【００２６】
また例えば、ユーザが、今後生まれる予定の子供を、出産予定日とともに家族として登録してもよい。このとき、生まれる予定の子供の性別が分かっている場合、その性別を登録しても良い。さらに、生まれる予定の子供が登録される場合、妊娠の週数月数等が登録されてもよい。
【００２７】
なお、図３に示す属性は、ユーザ本人の属性ではなく、ユーザの家族の属性である。また、図３では、ユーザ本人の属性と関連付けられて図示されていないが、図３に示す家族データは、ユーザ自身の属性と関連付けて記憶されることができる。
【００２８】
図示を用いた説明は省略するが、家族データ１２３は、ユーザ家族やユーザ本人の嗜好に関する情報を含むことができる。嗜好に関する情報とは、例えば、好みの食材、苦手な食材、好みの色、好みのキャラクター等の情報である。これにより、ユーザの家族やユーザ本人の好みを反映した動画像データをユーザに提供することができる。
【００２９】
図示を用いた説明は省略するが、家族データ１２３は、ユーザの家族の身体に関する情報を含むことができる。身体に関する情報とは、例えば、身長、体重、足のサイズ等の情報である。また、身体に関する情報とは、例えば、アレルギー等の情報である。これにより、家族に必要な動画像データやアイテムの購入に関する情報をユーザに提供することができる。具体的には、最適なサイズの服の購入方法を提供したり、アレルギーに対応する離乳食の作り方等の動画像データを提供することができる。
【００３０】
この家族データ１２３の取得方法は限定しない。例えば、予め、動画提供装置１００からユーザ端末２００に質問データを送信し、これに応答する回答データとして受信したデータから、家族データ１２３を生成してもよい。
【００３１】
第１提供部１１１は、記憶部１２０に記憶され、複数フレームで構成され、所定時間内で完結する第１動画像データ１２１を、ユーザ端末２００に提供する。
【００３２】
受付部１１２は、第１動画像データが再生された後に、ユーザ端末２００で再生される第１動画像データに関連付けられ、当該第１動画像データが含む内容を詳細に表す第２動画像データの再生リクエストを受け付ける。例えば、受付部１１２が受け付けるリクエストは、アイテムの詳細な使用方法を問い合わせるものである。また例えば、受付部１１２が受け付けるリクエストは、アイテムの詳細な作成方法を問い合わせるものである。
【００３３】
抽出部１１３は、受付部１１２が受け付けた再生リクエストと、記憶部１２０に記憶され、ユーザ端末２００を介して取得された、ユーザ端末２００の保有者であるユーザの家族に関する家族データ１２３とに基づいて、記憶部１２０に記憶される第２動画像データを抽出する。ここで、抽出部１１３は、ユーザの家族の属性に対応する第２画像データを抽出することができる。
【００３４】
第２提供部１１４は、抽出部１１３が抽出した第２動画像データをユーザ端末２００に提供する。
【００３５】
第２提供部１１４は、ユーザの家族の属性に対応する第２画像データが抽出されると、この第２画像データをユーザ端末２００に提供することができる。
【００３６】
選択肢提供部１１５は、第１動画像データに対応する第２動画像データの選択肢を、ユーザ端末２００に提供する。受付部１１２は、選択肢提供部１１５が提供した選択肢に対し、ユーザ端末２００から選択肢のいずれが選択されたかの選択結果データを受け付けることができる。また、第２提供部１１４は、受付部１１２が受け付けた選択結果データで特定される第２画像データを提供することができる。
【００３７】
また、受付部１１２は、ユーザ端末２００において動画像のフレームを表示中に、表示画面上におけるアイテムへの接触による保有者の選択を識別する接触データを、第２動画像データの再生リクエストとして受け付けることができる。このとき、抽出部１１３は接触データで選択されたアイテムと関連付けられる第２画像データを抽出する。したがって、第２提供部１１４は、接触データで選択されたアイテムと関連付けられる第２画像データを提供する。また、受付部１１２は、第１動画像データまたは第２動画像データに表されるアイテムの購入リクエストを受け付けることができる。
〈ユーザ端末〉
図２のブロック図に示すように、ユーザ端末２００は、動画提供装置１００から複数フレームで構成される第１動画像データを取得する第１取得部２１１と、動画提供装置１００からのリクエストに応じて、自装置であるユーザ端末２００の保有者であるユーザの家族に関する家族データを提供する提供部２１２と、第１動画像データ１２１を表示する第１表示処理部２１３と、ユーザによって、第１動画像データが含む内容を詳細に表す第２動画像データ１２２の再生リクエストを受け付け、再生リクエストを動画提供装置１００に送信する送信部２１４と、再生リクエストに対して、動画提供装置１００により、再生リクエスト及びユーザの家族の家族データ１２３に基づいて選択され、かつ、送信された第２動画像データを受信する受信部２１５と、受信した第２動画像データを表示する第２表示処理部２１６とを備える。
【００３８】
ユーザ端末２００は、制御部２１０、記憶部２２０、出力部２３０、入力部２４０及び通信部２５０を有するパーソナルコンピュータや携帯端末等の情報処理端末である。ユーザ端末２００は、記憶部２２０に記憶される動画再生プログラムＰ２の実行により、制御機能、送信機能、受信機能を実現し、制御部２１０が第１取得部２１１、提供部２１２、第１表示処理部２１３、送信部２１４、受信部２１５及び第２表示処理部２１６等としての処理を実行する。
【００３９】
具体的には、制御部２１０は、種々の演算を実行するＣＰＵ（Central Processing Unit）である。また、記憶部２２０は、ＲＯＭ（Read Only Memory）やＲＡＭ（Random Access Memory）等のメモリである。出力部２３０は、テキストデータや画像データを表示可能な表示部（ディスプレイ）２３１と音声データを出力可能な音声出力部（スピーカ）２３２とを含む。入力部２４０は、キーボードやタッチパネル等の操作入力部２４１と、マイクロフォン等の音声入力部２４２と、カメラ等の画像入力部２４３を含む。
【００４０】
例えば、動画提供装置１００から取得される動画像データは、表示部２３１に出力され、この動画像データに含まれる音声データは、音声出力部２３２に出力される。また、第２の言語情報は、表示部２３１や音声出力部２３２に出力される。
【００４１】
種々の操作信号やデータは、入力部２４０を利用して入力される。具体的には、各操作信号は、操作入力部２４１、音声入力部２４２または画像入力部２４３によって入力される。したがって、ユーザによる入力方法は、限定されず、テキスト入力、音声入力、画像入力等のいずれであってもよいし、タッチパネルにおけるタップ操作等の接触であってもよい。詳細な説明は省略するが、音声入力の場合、制御部２１０において音声入力部２４２で入力された音声データの音声認識処理を実行する。また、画像入力の場合、画像入力部２４３で入力された画像データはジェスチャー認識に利用可能であり、制御部２１０において画像処理を実行する。
〈動画提供の処理〉
図４に示すフローを用いて、動画提供システム１における動画提供方法の処理の流れを説明する。まず、ユーザ端末２００が、動画提供装置１００に第１動画像データを要求するリクエストを送信する（Ｓ１）。
【００４２】
動画提供装置１００は、リクエストされた第１動画像データをユーザ端末２００に提供する（Ｓ２）。
【００４３】
ユーザ端末２００は、動画提供装置１００に送信された第１動画像データを再生する（Ｓ３）。
【００４４】
ユーザ端末２００は、ユーザによる再生を要求する第２動画像データの選択を受け付ける（Ｓ４）。
【００４５】
ユーザ端末２００は、動画提供装置１００に第２動画像データを要求するリクエストを送信する（Ｓ５）。
【００４６】
動画提供装置１００は、複数の第２動画像データ１２２から、再生をリクエストされた第２動画像データを抽出する（Ｓ６）。
【００４７】
動画提供装置１００は、抽出した第２動画像データを、ユーザ端末２００に送信する（Ｓ７）。
【００４８】
ユーザ端末２００は、動画提供装置１００に送信された第２動画像データを再生する（Ｓ８）。
〈第２動画像データの選択例〉
図５及び図６は、ユーザ端末２００において、第１動画像データを再生する際に、第２動画像データの対象を選択する際の一例を説明する。図５（ａ）は、ユーザ端末２００における第１動画像データの再生を説明する一例である。ここで、ユーザ端末２００において、第１動画像データを取得すると、ユーザ端末２００には図５（ａ）に示すように表示される。ここでは、第１動画像データが離乳食の簡単な作り方であるものとして説明する。また、図５（ａ）の再生ボタンｂが選択されると、第１動画像データの再生が開始する。
【００４９】
第１動画像データの再生が終了すると、図５（ｂ）に示すように、複数の選択肢として選択ボタンｂ１〜ｂ３が表示される。ユーザによって「もう一度」の選択ボタンｂ１が選択されると、ユーザ端末２００では、第１動画像データが再び再生される。
【００５０】
また、「別の画像」の選択ボタンｂ２が選択されると、今回再生した第１動画像データとは別の第１動画像データの再生がリクエストされる。したがって、例えば、ユーザ端末２００では、別の第１動画像データの再生をリクエストするための画面が表示される。
【００５１】
さらに、「作ってみる」の選択ボタンｂ３が選択されると、ユーザ端末２００では、図５（ｃ）に示すように、第１動画像データにおいて説明された離乳食の作り方を詳細に説明する第２動画像データが表示される。このとき、例えば、同一の離乳食であっても、５−６カ月の乳児と、７−８カ月の乳児と、９−１２カ月の乳児とでは、必要な材料の量や野菜の切り方等が異なる等、作り方の一部が異なることもある。このような場合、家族データ１２３で記憶されるユーザの家族の属性に合わせて、異なる第２の動画像データを提供するようにしてもよい。
【００５２】
図６（ａ）は、複数のアイテムＡ１〜Ａ３を紹介する第１動画像データの一例である。ユーザ端末２００の表示部２３１において、これら複数のアイテムＡ１〜Ａ３から、仮に、ユーザがいずれかのアイテムＡ１に接触した場合、すなわち、タップ動作を行った場合、これをユーザの選択とする。したがって、ユーザ端末２００では、図６（ｂ）に示すように、選択されたアイテムＡ１に関する第２動画像データが表示される。
【００５３】
例えば、アイテムＡ１のボールがタップされたときに表示される動画像データとして、ボールの遊び方や、ボールの売られている場所、ボールの詳細な紹介などに関連する情報が含まれる動画像データが表示されるようにしてもよい。
【００５４】
また、このような第１動画像データ、あるいは、第２動画像データで紹介されたアイテムをユーザ端末２００上で購入できるようにしてもよい。
【００５５】
例えば、第１動画像データ、あるいは、第２動画像データにおいてアイテムを選択したときに、アイテムを購入するための購入画面へ遷移した例を説明する。図７（ａ）は実際の商品購入のための画面例である。商品購入の画面では購入対象の商品の詳細（名称、単価、内容量（個数）、画像、販売元、製造元、特徴、対象年齢、利用条件など）が端末に表示される。ユーザは商品の詳細を確認した後、商品の数量や色、サイズなどを選択し、「購入手続き」ボタンｂ１１を選択することで、表示部２３１に表示される画面が、購入条件確認画面に遷移する。なお、ユーザにより、「キャンセル」ボタンｂ１２が選択されると、表示部２３１に表示される画面は、数量等の条件を変更する画面に戻ったり、図７の画面に戻ることになる。
【００５６】
図７（ｂ）は購入条件確認画面の画面例である。購入条件確認画面では、購入を選択された商品の数量や色、サイズ、合計金額、ポイント利用の有無、配送先・注文者、支払い方法の確認・変更ができるように表示される。ユーザにより「購入」ボタンｂ２１が選択されると、サーバに情報が送信され、購入の処理（クレジットカードの決済処理、商品の発注・配送処理等）が実行される。なお、ユーザにより、「キャンセル」ボタンｂ２２が選択されると、表示部２３１に表示される場面は、数量等の条件を変更する画面に戻ったり、別の画面に戻ることになる。
【００５７】
なお、上述の購入手続きでは商品の購入を例としたが、サービスの申し込みであってもよい。その場合、サービスの詳細（提供場所、提供期間、提供日時など）が表示されるように変更したり、購入に際して、サービスのプランや条件、利用人数などを選択したりできるようにしてもよい。
【００５８】
このように、購入までの手続きを簡素化することにより、ユーザが商品やサービスを購入しやすくすることができる。
【００５９】
他の実施例として、例えば、図７（ａ）において、ユーザに「購入手続き」ボタンｂ１１が選択されたとき、記憶部１２０に記憶された家族データ１２３を参照し、購入対象の商品の対象年齢等の詳細情報と比較して通知を出力してもよい。図８は購入に際して出力される通知の例である。図８（ａ）は購入対象の商品の対象年齢に対して、家族データ１２３の示すユーザの家族の年齢が異なる（対象年齢に含まれない）場合の通知例であり、図８（ｂ）は、家族データ１２３の示すユーザの家族のアレルギー物質が購入対象の商品に含まれる場合の通知例である。図８に示すような通知において、ユーザによって「ＯＫ」ボタンｂ１３が選択されると、購入に進む。一方、ユーザによって「キャンセル」ボタンｂ１４が選択されると、購入はキャンセルされる。
【００６０】
このような通知を行うことで、ユーザが家族に対して購入する商品やサービスが家族に好適かの判断を促すことができるため、ユーザが誤って家族に好適でない商品を購入してしまうことを防ぐことができる。
【００６１】
また、たとえば、第２動画像データを再生後、購入画面へ遷移する画面を表示させてもよい。このような構成とすることで、アイテムの詳細を確認した後に購入の手続きをすることができるため、ユーザが購入の要否を判断しやすくすることができ、第２動画像データによって購買意欲を高めた後に購入手続きに進めることでより購入を促すようなシステムとすることができる。
【００６２】
このように、動画提供システム１では、第１動画像データから、ユーザに対して、有益な第２動画像データを容易に提供することができる。したがって、ユーザは、単に通常の第１動画像データの視聴の際に、簡単な操作をするだけで、このユーザに最適でかつ詳細な第２動画像データにアクセスすることが可能になる。
【００６３】
なお、上述の説明では、動画提供装置１００及びユーザ端末２００のＣＰＵが動画提供プログラムＰ１又は動画再生プログラムＰ２等を実行することにより、動画提供システム１を実現することとしているが、これは動画提供装置１００及びユーザ端末２００に集積回路（ＩＣ（Integrated Circuit）チップ）、大規模集積回路（ＬＳＩ：Large Scale Integration）等に形成された論理回路（ハードウェア）や専用回路によって実現してもよい。このような場合、図９に示すように、動画提供装置１００は、第１提供回路１１１ａ、受付回路１１２ａ、抽出回路１１３ａ、第２提供回路１１４ａ及び選択肢提供回路１１５ａを備える。また、ユーザ端末２００は、第１取得回路２１１ａ、提供回路２１２ａ、第１表示処理回路２１３ａ、送信回路２１４ａ、受信回路２１５ａ、第２表示処理回路２１６ａ、表示回路２３１ａ、音声出力回路２３２ａ、操作入力回路２４１ａ、音声入力回路２４２ａ及び画像入力回路２４３ａを備える。それぞれの機能は、上述した同様の名称を有する各部と同様である。
【００６４】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【００６５】
上記実施形態に示した構成並びに参考例に示した構成は適宜組み合わせることとしてもよい。
【符号の説明】
【００６６】
１００ 動画提供装置
１１１ 第１提供部
１１２ 受付部
１１３ 抽出部
１１４ 第２提供部
１１５ 選択肢提供部
１２０ 記憶部
１２１ 第１動画像データ
１２２ 第２動画像データ
１２３ 家族データ
２００ ユーザ端末
２１１ 第１取得部
２１２ 提供部
２１３ 第１表示処理部
２１４ 送信部
２１５ 受信部
２１６ 第２表示処理部
【図１】
2020009206.tif 000003
【図２】
2020009206.tif 000004
【図３】
2020009206.tif 000005
【図４】
2020009206.tif 000006
【図５】
2020009206.tif 000007
【図６】
2020009206.tif 000008
【図７】
2020009206.tif 000009
【図８】
2020009206.tif 000010
【図９】
2020009206.tif 000011